【手続補正書】
【提出日】平成16年1月15日(2004.1.15)
【手続補正１】
【補正対象書類名】明細書
【補正対象項目名】特許請求の範囲
【補正方法】変更
【補正の内容】
【特許請求の範囲】
【請求項１】
転写材に対するステープル位置を選択するステープル位置選択手段と、
画像データに画像処理を施す画像処理手段と、
前記画像処理手段により画像処理が施された画像データに基づいて転写材に画像を形成する画像形成手段と、
前記転写材に所定位置でステープルするステープル手段と、
を有し、
前記画像処理手段は、前記ステープル位置選択手段で選択される前記ステープル位置と前記ステープル手段での前記所定位置とが合致するように、前記画像データに画像処理を施すことを特徴とする画像形成装置。
【請求項２】
前記画像処理手段は、前記ステープル位置選択手段で選択される前記ステープル位置と前記ステープル手段での前記所定位置とが合致するように、前記画像データに画像回転処理を施すことを特徴とする請求項１記載の画像形成装置。
【請求項３】
前記画像処理手段は、前記ステープル手段での前記所定位置と前記ステープル位置選択手段で選択される前記ステープル位置とが合致するように、前記画像データを１８０度回転させる画像回転処理を施すことを特徴とする請求項２記載の画像形成装置。
【請求項４】
前記画像処理手段は、前記ステープル位置選択手段で選択される前記ステープル位置と前記ステープル手段での前記所定位置とが合致するように、前記画像データを＋９０度または−９０度回転させる画像回転処理を施すことを特徴とする請求項２または請求項３のいずれかに記載の画像形成装置。
【請求項５】
画像面を上面にして載置された原稿を自動で給紙する自動原稿給紙手段と、
前記自動原稿給紙手段により給紙された原稿の画像を読み取って画像データを生成する画像読み取り手段と、を有し、
前記画像処理手段は、前記画像読み取り手段により読み取られた画像データに画像処理を施すことを特徴とする請求項１乃至請求項４のいずれかに記載の画像形成装置。
【請求項６】
画像面を上面にして載置された原稿を自動で給紙する自動原稿給紙手段と、
前記自動原稿給紙手段により給紙された原稿の画像を読み取って画像データを生成する画像読み取り手段と、を有し、
記録する画像の向きに合致した転写材を給紙するための制御手段と、を備え、
前記制御手段は、前記画像処理手段が＋９０度または−９０度回転させる画像回転処理を施す際には、前記原稿の方向とは９０度異なる方向の転写材を給紙するよう制御することを特徴とする請求項４記載の画像形成装置。
【請求項７】
画像面を上面にして載置された原稿を自動で給紙する自動原稿給紙手段と、
前記自動原稿給紙手段により給紙された原稿の画像を読み取って画像データを生成する画像読み取り手段と、
記録する画像の向きに合致した転写材を給紙するための制御手段と、を備え、
前記画像処理手段は、前記ステープル手段での前記所定位置と前記ステープル位置選択手段で選択される前記ステープル位置とが合致するように、前記画像データを１８０度，＋９０度，または−９０度回転させる画像回転処理を施し、
前記制御手段は、前記画像処理手段で＋９０度または−９０度回転させる画像回転処理を施す際には前記原稿の方向とは９０度異なる方向の転写材を給紙するよう制御し、前記画像処理手段で１８０度回転させる画像回転処理を施す際には前記原稿の方向と同じ方向の転写材を給紙するよう制御することを特徴とする請求項２記載の画像形成装置。
【請求項８】
画像データを受けて画像を形成する画像形成装置であって、
前記画像処理手段は、受けた画像データに画像処理を行うことを特徴とする請求項１乃至請求項４のいずれかに記載の画像形成装置。
【請求項９】
前記ステープル手段は、前記転写材のいずれかの片端部のみにステープルする機能を有することを特徴とする請求項１乃至請求項８のいずれかに記載の画像形成装置。
【請求項１０】
前記ステープル位置選択手段は、載置された原稿に対して所望のステープル位置を示す複数の絵文字を表示するものであり、前記複数の絵文字の選択によりステープル位置の選択がなされることを特徴とする請求項１乃至請求項９のいずれかに記載の画像形成装置。
【手続補正２】
【補正対象書類名】明細書
【補正対象項目名】００１０
【補正方法】変更
【補正の内容】
【００１０】
【課題を解決するための手段】
すなわち、前記した課題を解決する本発明は、以下の通りである。
（１）請求項１記載の発明は、転写材に対するステープル位置を選択するステープル位置選択手段と、画像データに画像処理を施す画像処理手段と、前記画像処理手段により画像処理が施された画像データに基づいて転写材に画像を形成する画像形成手段と、前記転写材に所定位置でステープルするステープル手段と、を有し、前記画像処理手段は、前記ステープル位置選択手段で選択される前記ステープル位置と前記ステープル手段での前記所定位置とが合致するように、前記画像データに画像処理を施すことを特徴とする。


【手続補正３】
【補正対象書類名】明細書
【補正対象項目名】００１１
【補正方法】変更
【補正の内容】
【００１１】
また、請求項２記載の発明は、上記（１）の前記画像処理手段は、前記ステープル位置選択手段で選択される前記ステープル位置と前記ステープル手段での前記所定位置とが合致するように、前記画像データに画像回転処理を施すことを特徴とする。


【手続補正４】
【補正対象書類名】明細書
【補正対象項目名】００１２
【補正方法】変更
【補正の内容】
【００１２】
ここで、ステープル手段がステープルする所定位置と選択されたステープル位置とが合致するような画像処理とは、転写材上の画像の向きを調整することで、選択された転写材のステープル位置を、ステープル手段がステープルする位置に合わせることを意味する。


【手続補正５】
【補正対象書類名】明細書
【補正対象項目名】００１３
【補正方法】変更
【補正の内容】
【００１３】
この発明では、ステープル位置選択手段で選択された転写材に対するステープル位置と、ステープル手段のステープル可能な位置（ステープル手段での所定位置）とを合致させるように画像処理手段が画像処理を施している。


【手続補正６】
【補正対象書類名】明細書
【補正対象項目名】００１４
【補正方法】変更
【補正の内容】
【００１４】
この結果、ステープル手段は簡易な構成で、転写材の４隅あるいは４辺のいずれの位置にでもステープル仕上げができるようになる。


【手続補正７】
【補正対象書類名】明細書
【補正対象項目名】００１５
【補正方法】変更
【補正の内容】
【００１５】
（２）請求項３記載の発明は、前記画像処理手段は、前記ステープル手段での前記所定位置と前記ステープル位置選択手段が選択するステープル位置とが合致するように１８０度回転の画像回転処理を施すことを特徴とする。


【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
この発明では、ステープル位置選択手段で選択された転写材に対するステープル位置と、ステープル手段のステープル可能な位置（ステープル手段の所定位置）とが合致するように、１８０度回転の画像回転処理を画像処理手段が施している。


【手続補正１０】
【補正対象書類名】明細書
【補正対象項目名】００１８
【補正方法】変更
【補正の内容】
【００１８】
すなわち、１８０度回転の画像回転処理で転写材上の画像の向きを調整することで、選択された転写材に対するステープル位置を、ステープル手段がステープルする位置に合わせている。


【手続補正１１】
【補正対象書類名】明細書
【補正対象項目名】００１９
【補正方法】変更
【補正の内容】
【００１９】
この結果、ステープル手段は簡易な構成で、転写材の４隅あるいは４辺のいずれの位置にでもステープル仕上げができるようになる。


【手続補正１２】
【補正対象書類名】明細書
【補正対象項目名】００２０
【補正方法】変更
【補正の内容】
【００２０】
（３）請求項４記載の発明は、前記画像処理手段は、前記ステープル位置選択手段で選択される前記ステープル位置と前記ステープル手段での前記所定位置とが合致するように、前記画像データを＋９０度または−９０度回転させる画像回転処理を施す、ことを特徴とする。


【手続補正１３】
【補正対象書類名】明細書
【補正対象項目名】００２１
【補正方法】変更
【補正の内容】
【００２１】
また、請求項６記載の発明は、画像面を上面にして載置された原稿を自動で給紙する自動原稿給紙手段と、前記自動原稿給紙手段により給紙された原稿の画像を読み取って画像データを生成する画像読み取り手段と、を有し、記録する画像の向きに合致した転写材を給紙するための制御手段と、を備え、前記制御手段は、前記画像処理手段での＋９０度回転または−９０度回転させる画像回転処理を施す際には、前記原稿の方向とは９０度異なる方向の転写材を給紙するよう制御する、ことを特徴とする。


【手続補正１４】
【補正対象書類名】明細書
【補正対象項目名】００２２
【補正方法】変更
【補正の内容】
【００２２】
この発明では、ステープル位置選択手段で選択された転写材に対するステープル位置と、ステープル手段のステープル可能な位置（ステープル手段での所定位置）とが合致するように、−９０度回転，＋９０度回転のいずれかの画像回転処理を施している。なお、−９０度回転と＋９０度回転の画像回転処理の際には、制御手段が、原稿方向とは９０度異なる方向の転写材を画像形成手段に供給している。


【手続補正１５】
【補正対象書類名】明細書
【補正対象項目名】００２３
【補正方法】変更
【補正の内容】
【００２３】
すなわち、このような画像回転処理と転写材供給制御とにより転写材上の画像の向きを調整することで、選択された転写材に対するステープル位置を、ステープル手段がステープルする位置に合わせている。


【手続補正１６】
【補正対象書類名】明細書
【補正対象項目名】００２４
【補正方法】変更
【補正の内容】
【００２４】
この結果、ステープル手段は簡易な構成で、転写材の４隅あるいは４辺のいずれの位置にでもステープル仕上げができるようになる。


【手続補正１７】
【補正対象書類名】明細書
【補正対象項目名】００２５
【補正方法】変更
【補正の内容】
【００２５】
（４）請求項７記載の発明は、画像面を上面にして載置された原稿を自動で給紙する自動原稿給紙手段と、前記自動原稿給紙手段により給紙された原稿の画像を読み取って画像データを生成する画像読み取り手段と、記録する画像の向きに合致した転写材を給紙するための制御手段とを備え、前記画像処理手段は、前記ステープル手段での前記所定位置と前記ステープル位置選択手段が選択するステープル位置とが合致するように、１８０度回転，＋９０度回転または−９０度回転の画像回転処理を施し、前記制御手段は、前記画像処理手段での−９０度回転と＋９０度回転の画像回転処理の際には原稿方向とは９０度異なる方向の転写材を給紙し、１８０度回転の画像回転処理の際には原稿方向と同じ方向の転写材を給紙するよう制御する、ことを特徴とする。


【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】変更
【補正の内容】
【００２７】
この発明では、ステープル位置選択手段で選択された転写材に対するステープル位置と、ステープル手段のステープル可能な位置（ステープル手段での所定位置）とが合致するように、−９０度回転，＋９０度回転，１８０度回転のいずれかの画像回転処理を施している。なお、−９０度回転と＋９０度回転の画像回転処理の際には、制御手段が、原稿方向とは９０度異なる方向の転写材を画像形成手段に供給している。


【手続補正２０】
【補正対象書類名】明細書
【補正対象項目名】００２８
【補正方法】変更
【補正の内容】
【００２８】
すなわち、このような画像回転処理と転写材供給制御とにより転写材上の画像の向きを調整することで、選択された転写材に対するステープル位置を、ステープル手段がステープルする位置に合わせている。


【手続補正２１】
【補正対象書類名】明細書
【補正対象項目名】００２９
【補正方法】変更
【補正の内容】
【００２９】
この結果、ステープル手段は簡易な構成で、転写材の４隅あるいは４辺のいずれの位置にでもステープル仕上げができるようになる。
（５）請求項９の発明として、以上の発明における前記ステープル手段は、所定位置として、転写材のいずれかの片端部のみにステープルする機能を有するものである。この結果、ステープル手段が簡易な構成であっても、転写材の４隅あるいは４辺のいずれの位置にでもステープル仕上げができるようになる。
【手続補正２２】
【補正対象書類名】明細書
【補正対象項目名】００３０
【補正方法】変更
【補正の内容】
【００３０】
（６）請求項１０記載の発明は、前記ステープル位置選択手段は、載置された原稿に対して所望のステープル位置を示す複数の絵文字を表示するものであり、前記複数の絵文字の選択によりステープル位置の選択がなされることを特徴とする。


【手続補正２３】
【補正対象書類名】明細書
【補正対象項目名】００３１
【補正方法】削除
【補正の内容】
【手続補正２４】
【補正対象書類名】明細書
【補正対象項目名】００３３
【補正方法】変更
【補正の内容】
【００３３】
このようにすることで、自動原稿読み取り手段上に載置された原稿に対して、どの位置にステープルするかの選択について、原稿と絵文字の表示とを見比べながら、視覚的に容易に理解して選択することが可能になる。
なお、以上の発明は、画像面を上面にして載置された原稿を自動で給紙する自動原稿給紙手段と、前記自動原稿給紙手段により給紙された原稿の画像を読み取って画像データを生成する画像読み取り手段と、を有する画像形成装置に適用可能である。また、前記画像処理手段は、前記画像読み取り手段により読み取られた画像データに画像処理を施す、あるいは、受けた画像データに画像処理を行う、ことができる。
【手続補正２５】
【補正対象書類名】明細書
【補正対象項目名】０１０１
【補正方法】変更
【補正の内容】
【０１０１】
（１）以上の発明では、ステープル位置選択手段で選択された転写材に対するステープル位置と、ステープル手段のステープル可能な位置（ステープル手段での所定位置）とを合致させるように画像処理を施しているので、ステープル手段は簡易な構成で、転写材の４隅あるいは４辺のいずれの位置にでもステープル仕上げができるようになる。


【手続補正２６】
【補正対象書類名】明細書
【補正対象項目名】０１０２
【補正方法】変更
【補正の内容】
【０１０２】
（２）以上の発明では、１８０度の画像回転処理で転写材上の画像の向きを調整することで、選択された転写材に対するステープル位置を、ステープル手段がステープルする位置に合わせているので、ステープル手段は簡易な構成で、転写材の４隅あるいは４辺のいずれの位置にでもステープル仕上げができるようになる。


【手続補正２７】
【補正対象書類名】明細書
【補正対象項目名】０１０３
【補正方法】変更
【補正の内容】
【０１０３】
（３）以上の発明では、ステープル位置選択手段で選択された転写材に対するステープル位置と、ステープル手段のステープル可能な位置（ステープル手段での所定位置）とが合致するように、−９０度回転，＋９０度回転のいずれかの画像回転処理を施している。また、−９０度回転と＋９０度回転の画像回転処理の際には、制御手段が、原稿方向とは９０度異なる方向の転写材を画像形成手段に供給している結果、ステープル手段は簡易な構成で、転写材の４隅あるいは４辺のいずれの位置にでもステープル仕上げができるようになる。


【手続補正２８】
【補正対象書類名】明細書
【補正対象項目名】０１０４
【補正方法】変更
【補正の内容】
【０１０４】
（４）以上の発明では、ステープル位置選択手段で選択された転写材に対するステープル位置と、ステープル手段のステープル可能な位置（ステープル手段での所定位置）とが合致するように、−９０度回転，＋９０度回転，１８０度回転のいずれかの画像回転処理を施している。また、−９０度回転と＋９０度回転の画像回転処理の際には、制御手段が、原稿方向とは９０度異なる方向の転写材を画像形成手段に供給している結果、ステープル手段は簡易な構成で、転写材の４隅あるいは４辺のいずれの位置にでもステープル仕上げができるようになる。


【手続補正２９】
【補正対象書類名】明細書
【補正対象項目名】０１０５
【補正方法】変更
【補正の内容】
【０１０５】
（５）以上の発明では、載置された原稿（用紙の向き、原稿の文字の向き）に対して所望のステープル位置を複数の絵文字の選択肢として表示しいるので、自動原稿読み取り手段上に載置された原稿に対して、どの位置にステープルするかの選択について、原稿と絵文字の表示とを見比べながら、視覚的に容易に理解して選択することが可能になる。